(57)【要約】  【課題】回路基板に設けられた部品実装用の複数個の端子からなる端子群の表面にはんだプリコート層を形成する方法において、狭ピッチの端子に対しても端子群内のそれぞれの端子表面に形成されるはんだプリコート層の厚みを均一化する端子群の製造方法を提供する。  【解決手段】絶縁基板１の上に相対峙する端子２ａ，２ｂ相互間をそれぞれ接続する前記端子２ａ，２ｂと同一材質からなる連結部１０が予め形成されており、この連結部１０を含む端子群の表面にはんだ層５を設け、このはんだ層５を加熱溶融してはんだプリコート層６を形成し、然る後に、前記端子２ａ，２ｂ相互間の不要部分を切断除去する。【選択図】図５
2007281228.tif 000002
【特許請求の範囲】
【請求項１】
回路基板に設けられた部品実装用の複数個の端子からなる端子群であって、該端子群の表面にはんだプリコート層を形成する方法において、
前記端子群には相対峙する端子相互間をそれぞれ接続する前記端子と同一材質からなる連結部が予め形成されており、
この連結部を含む前記端子群の表面にはんだ層を設け、このはんだ層を加熱溶融してはんだプリコート層を形成し、
然る後に、前記端子相互間の不要部分を切断除去することを特徴とする回路基板の端子群製造方法。
【請求項２】
回路基板に設けられた部品実装用の複数個の端子からなる端子群であって、該端子群の表面にはんだプリコート層を形成する方法において、
前記端子群には相対峙する端子相互間をそれぞれ接続する前記端子と同一材質からなる第１の連結部と、隣接する第１の連結部相互間をそれぞれ接続する前記端子および第１の連結部と同一材質からなる第２の連結部が予め形成されており、
これら第１および第２の連結部を含む前記端子群の表面にはんだ層を設け、このはんだ層を加熱溶融してはんだプリコート層を形成し、
然る後に、前記端子相互間の不要部分を切断除去することを特徴とする回路基板の端子群製造方法。
【請求項３】
上記第１の連結部であって、該第１の連結部と第２の連結部の接続部分近傍に開口部を設けたことを特徴とする請求項２記載の回路基板の端子群製造方法。
【請求項４】
上記第１の連結部であって、上記端子群の最外側縁部に切欠部を設けたことを特徴とする請求項２記載の回路基板の端子群製造方法。
【請求項５】
上記第１の連結部であって、上記端子群の最外側縁部に凸部を設けたことを特徴とする請求項２記載の回路基板の端子群製造方法。
【請求項６】
上記端子の回路幅を回路パターンよりも幅広に形成し、且つ、端子相互間の連結部の回路幅を上記端子よりも幅狭に形成したことを特徴とする請求項１または２記載の回路基板の端子群製造方法。
【発明の詳細な説明】
【技術分野】
【０００１】
本発明は回路基板に設けられた部品実装用の複数個の端子からなる端子群の製造方法に関するものであり、特に、端子群の表面に形成されるはんだプリコート層の厚みを均一化する端子群製造方法に関するものである。
【背景技術】
【０００２】
回路基板に設けられた部品実装用端子に電子部品の接続部を載置してはんだ付けする際に、はんだ付けの作業性を向上させるために、複数の端子からなる端子群に予めはんだプリコート層を形成することが知られている。このはんだプリコート層は、端子群の表面にペースト状はんだを印刷用メタルマスクを用いて印刷し、該ペースト状はんだを加熱溶融（以下フュージングと称する）して形成するか、あるいは、はんだめっき等によってはんだ層を形成し、該はんだ層にフラックスを塗布した後にフュージングすることにより形成される。
【０００３】
ペースト状はんだを印刷してはんだプリコート層を形成する方法では、狭いピッチの端子群の場合、ペースト状はんだのにじみやダレにより、隣接する端子間が繋がってしまうことがある。この状態でフュージングを行うと、はんだが溶融したときに隣接する端子間で均一に分離せず、はんだプリコート層の厚みにばらつきが発生し易い。また、端子周囲を覆うカバーレイの位置ずれによっても、はんだプリコート層の厚みが不均一となることもある。
【０００４】
図１７〜図２０は、ペースト状はんだを印刷してフュージングを行うまでの過程を示す説明図である。図１７は絶縁基板１の上に相対峙する端子２ａ，２ｂが複数組並列して配置された端子群を示し、端子長さ方向（図の左右方向）にカバーレイ３がずれた状態を示している。同図に示す端子２ａ，２ｂは端子長さが0.3mmで、カバーレイ３が0.1mmずれた状態で貼り合わせてある。従って、カバーレイ３の開口部３ａから露出する左側端子２ａの長さが0.2mm、右側端子２ｂの長さが0.4mmとなり、左右端子面積の差が２倍になってしまう。
【０００５】
この状態では、図１８に示すように印刷用メタルマスク４の左側開口部４ａがカバーレイ３の上にまで及んでいるため、ペースト状はんだ５を印刷すると、図１９に示すようにカバーレイ３の上面にまでペースト状はんだ５が印刷されてしまう。印刷されるペースト状はんだ５の量は、前記開口部４ａ，４ｂの大きさで決まるため、カバーレイ３のずれに関係なく同じ量が印刷される。従って、図２０に示すようにフュージングを行うと、面積が狭い端子２ａでは、はんだプリコート層６ａの厚みが厚くなり、逆に面積が広い端子２ｂでは、はんだプリコート層６ｂの厚みが薄くなる。この結果、はんだプリコート層６ａ，６ｂの厚みが不均一になる。
【０００６】
ＩＣやコネクター等の部品を実装する際、図２１（ａ）に示すように、はんだプリコート層６の厚みが均等であれば、同図（ｂ）に示すように、部品を上方から圧接しながらはんだを溶融したときに、それぞれの端子２ではんだプリコート層６が均等な厚みとなって、良好な接続が得られる。
【０００７】
これに対して、図２２（ａ）に示すように、はんだプリコート層６の厚みにばらつきがあると、はんだプリコート層６が上方の部品端子に接続している端子２ｃと、接続していない端子２ｄが発生する。従って、同図（ｂ）に示すように、部品を上方から圧接しながらはんだを溶融したときに、上下の間隙が広い端子の接続を取ろうとして、部品をさらに押し込む必要があり、はんだプリコート層６の厚みが厚い端子２ｃでは、はんだがはみ出して隣接の端子とショートする可能性がある。このため、安定した接続を取ることができないという不具合があった。
【０００８】
一般的に、フレキシブル回路基板では、ベース材としてポリイミド等のフィルムを使用することが多く、この場合は温度や湿度によって寸法の収縮が起きる。このため、カバーレイを貼り合わせるときに位置ずれが発生し易く、その結果、端子が露出している面積が大きく変化してしまう。端子面積が小さければ、この影響が非常に大きいものになってしまう。また、フュージング時にも温度や湿度の影響で収縮を起こすことから、形成された回路との位置合わせが不安定になっている。従って、はんだプリコート層の厚みを均一に形成しにくい要因となっている。ここで、一般的にカバーレイを形成するには、必要な部分への絶縁インクの印刷による手法や、予め開口が形成された絶縁フィルムを接着する手法や、感光性の絶縁インクの塗布またはフィルム状の感光性絶縁樹脂のラミネートに続く露光、現像、熱処理による手法などが採用される。
【０００９】
一方、はんだめっきによってはんだ層を形成し、このはんだ層をフュージングしてはんだプリコート層を形成する方法であっても、電流密度分布のばらつきによってワーク内ではんだ層の厚みが不均一となることもあり、前述したペースト状はんだを印刷する方法と同様に、はんだプリコート層の厚みを均一に形成しにくい要因となっている。
【００１０】
部品を押し込まざるを得ないときの、はんだのはみ出しによるショートを防止する方法としては、端子の一部にはんだと融合しないスリット状の領域を形成し、横幅の広い端子部分と、スリット状の領域によって分割された横幅の狭い端子部分とに分けることで、余剰の溶融はんだがスリット状の領域に流れ込むようにしたものが知られている（例えば、特許文献１参照）。
【００１１】
また、絶縁基板上にはんだ耐熱性を有する感光性樹脂製マスクを設け、該マスクを露光することにより開口部を形成し、この開口部にペースト状はんだを埋め込んでリフローすることにより、接続端子上にはんだプリコート層を形成した後に、前記感光性樹脂製マスクを溶解除去する方法も知られている（例えば、特許文献２参照）。
【特許文献１】特許第３４９６３０８号公報
【特許文献２】特開平１０−３２２００７号公報
【発明の開示】
【発明が解決しようとする課題】
【００１２】
カバーレイの位置ずれ等から、はんだプリコート層の厚みが均一でない場合、図２２に示すように、部品を必要以上に押し込むことになり、はんだがはみ出して隣接の端子とショートする危険がある等、従来は安定した接続を取ることができないという不具合があった。
【００１３】
特許文献１記載の発明は、余剰の溶融はんだがスリット状の領域に流れ込むようにしてあるが、はんだプリコート層の厚みを均等にするようにはなっておらず、逆にスリット状領域を形成することによって端子に狭隘部が生じ、この狭隘部のはんだが薄くなり、厚みがばらつく要因にもなる  。
【００１４】
特許文献２記載の発明は、感光性樹脂製マスクに開口部を設け、ここにペースト状はんだを埋め込んではんだプリコート層を形成した後に、前記感光性樹脂製マスクを除去するので、工数が多くなってコスト高となる。また、はんだプリコート層の厚みをより簡単に均一化することができず、従来は外観検査により厚みを確認して、差が大きい場合には手直しを行っている。このため、品質および作業効率が良好ではなかった。
【００１５】
そこで、本発明は、回路基板に設けられた部品実装用の複数個の端子からなる端子群の表面にはんだプリコート層を形成する方法において、狭ピッチの端子に対しても端子群内のそれぞれの端子表面に形成されるはんだプリコート層の厚みを均一化する端子群の製造方法を提供することを目的とする。
【課題を解決するための手段】
【００１６】
本発明は上記目的を達成するために提案されたものであり、請求項１記載の発明は、回路基板に設けられた部品実装用の複数個の端子からなる端子群であって、該端子群の表面にはんだプリコート層を形成する方法において、前記端子群には相対峙する端子相互間をそれぞれ接続する前記端子と同一材質からなる連結部が予め形成されており、この連結部を含む前記端子群の表面にはんだ層を設け、このはんだ層を加熱溶融してはんだプリコート層を形成し、然る後に、前記端子相互間の不要部分を切断除去することを特徴とする回路基板の端子群製造方法を提供する。
【００１７】
この構成によれば、回路基板に設けられた端子群の相対峙する端子相互間がそれぞれ前記端子と同一材質からなる連結部にて接続され、双方の端子と連結部が一体の平面をなしている。この端子と連結部の表面にペースト状はんだの印刷やはんだめっきを行えば、端子と連結部の表面は段差がなくて一体の平面であるため、この平面にほぼ同一厚みのはんだ層が形成される。このはんだ層をフュージングすれば、それぞれの端子と連結部の平面部全体にはんだが流れ込み、前記平面部全体に亘って、均一厚みのはんだプリコート層が形成される。そして、前記端子群の相対峙する端子相互間の不要部分を切断除去することにより、前記連結部近傍がなくなって、均一厚みのはんだプリコート層を有する端子がそれぞれ離間して端子群が形成される。
【００１８】
請求項２記載の発明は、回路基板に設けられた部品実装用の複数個の端子からなる端子群であって、該端子群の表面にはんだプリコート層を形成する方法において、前記端子群には相対峙する端子相互間をそれぞれ接続する前記端子と同一材質からなる第１の連結部と、隣接する第１の連結部相互間をそれぞれ接続する前記端子および第１の連結部と同一材質からなる第２の連結部が予め形成されており、これら第１および第２の連結部を含む前記端子群の表面にはんだ層を設け、このはんだ層を加熱溶融してはんだプリコート層を形成し、然る後に、前記端子相互間の不要部分を切断除去することを特徴とする回路基板の端子群製造方法を提供する。
【００１９】
この構成によれば、回路基板に設けられた端子群の相対峙する端子相互間がそれぞれ前記端子と同一材質からなる第１の連結部にて接続され、双方の端子と第１の連結部が一体の平面をなしている。また、隣接する第１の連結部相互間がそれぞれ前記端子および第１の連結部と同一材質からなる第２の連結部にて接続され、第１の連結部と第２の連結部が一体の平面をなしている。前記相対峙する端子と第１の連結部と第２の連結部の表面にペースト状はんだの印刷やはんだめっきを行えば、各端子と第１および第２の連結部の表面は段差がなくて一体の平面であるため、この平面にほぼ同一厚みのはんだ層が形成される。
【００２０】
このはんだ層をフュージングすれば、各端子と第１および第２の連結部の平面部全体にはんだが流れ込み、前記平面部全体に亘って、ほぼ均一厚みのはんだプリコート層が形成される。第１の連結部と第２の連結部の接続部分近傍（交差部分）では、双方の回路の幅により面積が大きくなるため、はんだプリコート層の厚みがわずかに厚くなるが、前記端子群の相対峙する端子相互間の不要部分を切断除去することにより、前記交差部分がなくなって、均一厚みのはんだプリコート層を有する端子がそれぞれ離間して端子群が形成される。
【００２１】
請求項３記載の発明は、上記第１の連結部であって、該第１の連結部と第２の連結部の接続部分近傍に開口部を設けたことを特徴とする請求項２記載の回路基板の端子群製造方法を提供する。
【００２２】
この構成によれば、上記第１の連結部と第２の連結部の接続部分近傍（交差部分）に開口部を設けたことにより、該交差部分の面積が大きくならない。従って、該交差部分のはんだ層の厚みが厚くならず、他の平面部とほぼ同じ厚みで、より一層均一した厚みのはんだプリコート層が形成される。
【００２３】
請求項４記載の発明は、上記第１の連結部であって、上記端子群の最外側縁部に切欠部を設けたことを特徴とする請求項２記載の回路基板の端子群製造方法を提供する。
【００２４】
この構成によれば、上記端子群の最外側にある第１の連結部の外側縁部に切欠部を設けたことにより、最外側にある第１の連結部と第２の連結部の接続部近傍（交差部分）の面積が大きくならない。従って、該交差部分のはんだ層の厚みが厚くならず、他の平面部とほぼ同じ厚みで、より一層均一した厚みのはんだプリコート層が形成される。
【００２５】
請求項５記載の発明は、上記第１の連結部であって、上記端子群の最外側縁部に凸部を設けたことを特徴とする請求項２記載の回路基板の端子群製造方法を提供する。
【００２６】
この構成によれば、上記端子群の最外側にある第１の連結部の外側縁部に凸部を設けたことにより、最外側にある第１の連結部と第２の連結部の接続部分近傍（交差部分）のはんだが外側縁部の凸部に流れ、該交差部分のはんだ層の厚みが厚くならず、他の平面部とほぼ同じ厚みで、より一層均一した厚みのはんだプリコート層が形成される。
【００２７】
請求項６記載の発明は、上記端子の回路幅を回路パターンよりも幅広に形成し、且つ、端子相互間の連結部の回路幅を上記端子よりも幅狭に形成したことを特徴とする請求項１または２記載の回路基板の端子群製造方法を提供する。
【００２８】
この構成によれば、上記端子の回路幅を回路パターンならびに連結部の回路幅よりも広くしたことにより、相対峙する端子部分のみではんだ層が厚くなり、該端子部分で均一した厚みのはんだプリコート層が形成される。
【発明の効果】
【００２９】
本発明によれば、端子間の寸法やカバーレイにずれが発生したとしても、これらの寸法ずれに影響されることなく、はんだプリコート層をより均一な厚みに形成することが可能となり、実装部品の接続が容易かつ確実に行えるようになり、回路基板製造における品質ならびに生産効率を大幅に向上させることができる。
【発明を実施するための最良の形態】
【００３０】
以下、本発明に係る回路基板の端子群製造方法について、好適な実施例をあげて説明する。回路基板に設けられた部品実装用の複数個の端子からなる端子群の表面にはんだプリコート層を形成する方法において、狭ピッチの端子に対しても端子群内のそれぞれの端子表面に形成されるはんだプリコート層の厚みを均一化するという目的を達成するために、本発明は前記端子群には相対峙する端子相互間をそれぞれ接続する連結部が予め形成されており、この連結部を含む前記端子群の表面にはんだ層を設け、このはんだ層を加熱溶融してはんだプリコート層を形成し、然る後に、前記端子相互間の不要部分を切断除去することにより実現した。
【００３１】
なお、説明の都合上、図１７〜図２２の従来技術で説明したものと同一構成部分は各実施例においても同一符号を使用するものとする。
【実施例１】
【００３２】
先ず、図１〜図５に従って実施例１について説明する。図１は絶縁基板１の上に相対峙する端子２ａ，２ｂが複数組並列して配置された端子群を示し、該端子群には各端子２ａ，２ｂ相互間を接続する連結部１０が予め形成されている。この連結部１０は前記端子２ａ，２ｂと同一材質からなっている。絶縁基板１の表面にはカバーレイ３を貼り付けてあり、該カバーレイ３に設けた開口部３ａから前記端子群の各端子２ａ，２ｂおよび連結部１０が露出しており、他の回路パターン部分はカバーレイ３にて被蔽されている。
【００３３】
カバーレイの開口部３ａから破線の位置までが、本来の端子２ａ，２ｂの長さを示している。仮に、カバーレイ３の貼り付け位置がずれて、開口部３ａから破線の位置までの長さが左右で異なったとしても、後述するように、端子２ａ，２ｂおよび連結部１０の全体にはんだが流れ込むため、均一した厚みではんだプリコート層６が形成される。
【００３４】
図２は印刷用メタルマスク４を示し、前記各端子２ａ，２ｂおよび連結部１０の位置に対応して開口部４ｃが設けられている。ペースト状はんだ５を印刷すると、前記印刷用メタルマスクの開口部４ｃにペースト状はんだが印刷され、図３に示すように、印刷用メタルマスク４を取り外すと、前記カバーレイの開口部３ａ内の各端子２ａ，２ｂおよび連結部１０の上にペースト状のはんだ層５が設けられる。
【００３５】
この状態ではんだ層をフェージングすれば、図４に示すように、カバーレイの開口部３ａ内の各端子２ａ，２ｂおよび連結部１０の上に、はんだプリコート層６が形成される。万一、前記印刷用メタルマスクの開口部４ｃが他の部分にまではみ出して、カバーレイ３の上面や端子２ａ，２ｂおよび連結部１０以外部分にまで印刷されてしまったとしても、フュージングすることにより、各端子２ａ，２ｂおよび連結部１０の全体にはんだが流れ込むので、均一厚みのプリコート層６を形成することができる。
【００３６】
このように、カバーレイ３にずれが生じたとしても、カバーレイの開口部３ａの位置ずれに関係なく、はんだプリコート層６を形成することが可能となる。そして、図５に示すように、相対峙する端子２ａ，２ｂ相互間の不要部分をプレス打ち抜きなどの手段で切断除去することにより、前記連結部１０がなくなり、除去部分１１を挟んで均一厚みのはんだプリコート層６を有する端子２ａ，２ｂがそれぞれ離間して形成される。
【００３７】
斯くして、相対峙する端子２ａ，２ｂ間を連結部１０によって繋ぐことで、カバーレイ３の位置ずれによる端子面積の変化（面積差）が発生することがなくなり、均一厚みのはんだプリコート層６を有する端子群が形成され、部品実装が安定して行えるため回路基板の生産性の向上に寄与できる。
【００３８】
なお、図４〜図５では、はんだの表面張力を説明するため、はんだプリコート層６の両端部側（カバーレイの開口部３ａの縁部側）が極端に丸みをおびて記載されているが、双方の端子２ａ，２ｂのはんだプリコート層６の厚み（最厚部分）が等しいので、部品実装時にはんだがはみ出して隣接する他の端子に接触するようなことはない。
【実施例２】
【００３９】
次に、図６〜図８に従って実施例２について説明する。図６は絶縁基板１の上に相対峙する端子２ａ，２ｂが複数組並列して配置された端子群を示し、該端子群には各端子２ａ，２ｂ相互間を接続する第１の連結部１２と、隣接する第１の連結部１２，１２相互間を接続する第２の連結部１３が予め形成されておいる。この第１の連結部１２と第２の連結部１３は前記端子２ａ，２ｂと同一材質からなっている。絶縁基板１の表面にはカバーレイ３を貼り付けてあり、該カバーレイ３に設けた開口部３ａから前記端子群の各端子２ａ，２ｂおよび第１の連結部１２と第２の連結部１３が露出しており、他の回路パターン部分はカバーレイ３にて被蔽されている。
【００４０】
図７は印刷用メタルマスク４を示し、図２のように端子および連結部の形状に合わせてもよいが、ここでは前記カバーレイの開口部３ａに対応して一括開口した開口部４ｄが設けられている。ペースト状はんだ５を印刷すると、前記印刷用メタルマスクの開口部４ｄの全体にペースト状はんだ５が印刷される。印刷用メタルマスク４を取り外して、はんだ層をフェージングすれば、各端子２ａ，２ｂおよび第１の連結部１２と第２の連結部１３の平面部全体にはんだが流れ込み、図８に示すように、各端子２ａ，２ｂおよび第１の連結部１２と第２の連結部１３の上に、ほぼ均一厚みのはんだプリコート層６が形成される。
【００４１】
このように、相対峙する端子２ａ，２ｂ間に第１の連結部１２を設けるだけではなく、隣接する第１の連結部１２，１２間の相互を接続する第２の連結部１３を設けることにより、フュージング時に溶融したはんだが、対峙または隣接した端子間の平面部で移動することから、より一層均一厚みのはんだプリコート層６を形成することが可能となる。図示は省略するが、実施例１と同様に、相対峙する端子２ａ，２ｂ相互間の不要部分をプレス打ち抜きなどの手段で切断除去することにより、前記第１の連結部１２および第２の連結部１３がなくなり、均一厚みのはんだプリコート層６を有する端子２ａ，２ｂがそれぞれ離間して形成される。
【００４２】
なお、第１および第２の連結部１２，１３の回路幅は、端子２ａ，２ｂの回路幅の30％から150％までが適当である。接続する回路幅により第１および第２の連結部１２，１３の接続部分近傍（交差部分）の面積が端子２ａ，２ｂ部分よりも大きくなるため、はんだプリコート層６の厚みが交差部分でやや厚くなる。実験例では、端子２ａ，２ｂの回路幅が0.25mm、第１および第２の連結部１２，１３の回路幅が0.25mmの場合、交差部分の厚みは端子部の厚み40μmに対し、60μmとやや厚くなることを確認した。しかし、前述したように、第１の連結部１２と第２の連結部１３は打ち抜いて除去するため、部品実装において悪影響を及ぼすことはない。
【実施例３】
【００４３】
次に、図９〜図１０に従って実施例３について説明する。実施例３は実施例２の変形例である。図９に示すように、絶縁基板１の上に相対峙する端子２ａ，２ｂが複数組並列して配置するとともに、各端子２ａ，２ｂ相互間を接続する第１の連結部１２と、隣接する第１の連結部１２，１２相互間を接続する第２の連結部１３が予め形成されている。さらに、前記第１の連結部１２の略中央部、すなわち第２の連結部１３との接続部分近傍（交差部分）に開口部１４を設けて、該交差部分の回路を一部除去する。
【００４４】
この開口部１４は丸形のほか三角形や四角形など多角形であってもよい。なお、最外側の交差部分には前記開口部１４ではなく、第２の連結部１３との接続部分の反対側すなわち最外側縁部に切欠部１５を設けてもよい。前記開口部１４の大きさは、交差部分の面積の10％から80％程度の面積が適当である。
【００４５】
実施例２の場合と同様に、印刷用メタルマスク４を使用してカバーレイの開口部３ａ部分にペースト状はんだ５を印刷し、印刷用メタルマスク４を取り外して、はんだ層をフェージングすれば、各端子２ａ，２ｂおよび第１の連結部１２と第２の連結部１３の平面部全体にはんだが流れ込み、図１０に示すように、各端子２ａ，２ｂおよび第１の連結部１２と第２の連結部１３の上に、ほぼ均一厚みのはんだプリコート層６が形成される。
【００４６】
このように、第１の連結部１２と第２の連結部１３の交差部分に開口部１４または切欠部１５を設けたことにより、交差部分の面積が端子部分よりも大きくならない。従って、該交差部分のはんだ層が厚くならず、他の平面部とほぼ同じ厚みで、より一層均一した厚みのはんだプリコート層６が形成される。
【００４７】
そして、端子２ａ，２ｂ相互間の不要部分を切断除去することにより、前記第１の連結部１２および第２の連結部１３がなくなり、均一厚みのはんだプリコート層６を有する端子２ａ，２ｂがそれぞれ離間して形成される。
【実施例４】
【００４８】
次に、図１１〜図１２に従って実施例４について説明する。実施例４は実施例２のさらなる変形例である。図１１に示すように、絶縁基板１の上に相対峙する端子２ａ，２ｂが複数組並列して配置するとともに、各端子２ａ，２ｂ相互間を接続する第１の連結部１２と、隣接する第１の連結部１２，１２相互間を接続する第２の連結部１３が予め形成されている。さらに、最外側の第１の連結部１２には、第２の連結部１３との接続部分の反対側すなわち最外側縁部に凸部１６を設けてある。
【００４９】
実施例２の場合と同様に、印刷用メタルマスク４を使用してカバーレイの開口部３ａ部分にペースト状はんだ５を印刷し、印刷用メタルマスク４を取り外して、はんだ層をフェージングすれば、各端子２ａ，２ｂおよび第１の連結部１２と第２の連結部１３の平面部全体にはんだが流れ込み、各端子２ａ，２ｂおよび第１の連結部１２と第２の連結部１３の上に、ほぼ均一厚みのはんだプリコート層６が形成される。
【００５０】
実施例２で前述したように、第１および第２の連結部１２，１３の交差部分の面積が端子２ａ，２ｂ部分よりも大きくなるため、はんだプリコート層６の厚みが交差部分でやや厚くなるが、本実施例のように、最外側にある交差部分の外側に前記凸部１６を設けたことにより、はんだが凸部１６へ流れ込んで、最外側の交差部分とその他の交差部分とで、はんだの厚さがほぼ等しくなる。
【００５１】
また、図１２に示すように、前記第１の連結部１２と第２の連結部１３との交差部分に開口部１４を設けて、該交差部分の回路を一部除去した回路基板においても、最外側の交差部分に、第２の連結部１３との接続部分の反対側すなわち最外側縁部に凸部１６を設ける。
【００５２】
図１１の場合と同様に、カバーレイの開口部３ａ部分にペースト状はんだ５を印刷した後に、はんだ層をフェージングすれば、各端子２ａ，２ｂおよび第１の連結部１２と第２の連結部１３の平面部全体にはんだが流れ込み、各端子２ａ，２ｂおよび第１の連結部１２と第２の連結部１３の上にほぼ均一厚みのはんだプリコート層６が形成される。
【００５３】
この場合も、前記交差部分に開口部１４を設けたことにより、該交差部分のはんだ層が厚くならず、さらに、最外側の交差部分の外側に前記凸部１６を設けたことにより、はんだが凸部１６へ流れ込むため、より一層均一した厚みのはんだプリコート層６が形成される。
【００５４】
そして、図１１および図１２の何れの場合でも、交差部分のはんだ層が他の実施例に比較して薄くなることにより、端子２ａ，２ｂ相互間の不要部分を打ち抜くときに、打ち抜き型が交差部分のはんだプリコート層に局部的に当たるのを防止できる。
【実施例５】
【００５５】
次に、図１３〜図１４に従って実施例５について説明する。実施例５は実施例４の変形例である。図１３に示すように、絶縁基板１の上に相対峙する端子２ａ，２ｂが複数組並列して配置するとともに、各端子２ａ，２ｂ相互間を接続する第１の連結部１２と、隣接する第１の連結部１２，１２相互間を接続する第２の連結部１３が予め形成されている。さらに、前記端子２ａ，２ｂの回路幅を回路パターンよりも広くするとともに、第１の連結部１２と第２の連結部１３の回路幅を端子２ａ，２ｂよりも狭く形成する。
【００５６】
実施例４の場合と同様に、印刷用メタルマスク４を使用してカバーレイの開口部３ａ部分にペースト状はんだ５を印刷し、印刷用メタルマスク４を取り外して、はんだ層をフェージングすれば、各端子２ａ，２ｂおよび第１の連結部１２と第２の連結部１３の平面部全体にはんだが流れ込んではんだプリコート層６が形成される。
【００５７】
本実施例では、端子２ａ，２ｂの回路幅を回路パターンよりも広く、カバーレイの開口部３ａから端子２ａ，２ｂまでの部分と、第１の連結部１２と第２の連結部１３を幅狭に形成してあるので、幅狭部分でははんだ層が薄くなり、カバーレイ３がずれたとしても、その影響をより小さくすることができる。すなわち、端子２ａ，２ｂのみではんだ層が厚くなり、該端子部分で均一した厚みのはんだプリコート層６が形成される。また端子２ａ，２ｂ相互間は切断除去されるが、この除去部分１１のはんだ量を少なくすることができ、不要部分におけるはんだの無駄を省くことが可能である。
【実施例６】
【００５８】
次に、図１５〜図１６に従って実施例６について説明する。実施例１〜実施例５は、何れも端子２ａ，２ｂおよび連結部（１０または１２，１３）にプリコート層６を形成した後に、端子２ａ，２ｂ相互間の不要部分を打ち抜いて除去するが、多層回路基板などでは、外層基板の不要部分を打ち抜くことにより、内層基板の回路も打ち抜かれてしまうため、回路設計に大きな制約を受けてしまうことが多い。そこで、不要部分をハーフカットすることによって、外層基板の不要部分のみを除去する。
【００５９】
例えば、図１５に示すように、多層回路基板の外層基板２０に、実施例１において説明したような端子群が形成されている場合、不要部分として除去すべき箇所に対応して中空部２１が形成された接着部材２２で、前記外装基板２０を内層基板２３に積層しておく。
【００６０】
すなわち、相対峙する端子２ａ，２ｂおよび連結部１０にはんだ層を印刷し、フェージングによってプリコート層６を形成した後に、端子２ａ，２ｂ間の除去部分１１に沿って外装基板２０をハーフカットすれば、図１６に示すように、前記接着部材２２の中空部２１がハーフカットの逃げとなり、内層基板２３を傷損させることなくして、外層基板２０の不要部分のみを除去することができる。斯くして、不要部分の除去による回路設計の制約を最小限に抑えることができる。
【００６１】
ここで、前記中空部２１に、フッ素樹脂シートや、離型剤処理を表面に施した可撓性絶縁シートなどの接着しないシート部材を載置すると、ハーフカットの際の下当てシートとなるので、安定したハーフカットができるとともに、万一、切断深さに狂いが生じても、内装基板を防護する防護シートにもなり、好適である。
【００６２】
なお、本発明は、本発明の精神を逸脱しない限り種々の改変を為すことができ、そして、本発明が該改変されたものに及ぶことは当然である。
【図面の簡単な説明】
【００６３】
【図１】本発明に係る実施例１の製造過程を示す説明図。
【図２】本発明に係る実施例１の製造過程を示す説明図。
【図３】本発明に係る実施例１の製造過程を示す説明図。
【図４】本発明に係る実施例１の製造過程を示す説明図。
【図５】本発明に係る実施例１の製造過程を示す説明図。
【図６】本発明に係る実施例２の製造過程を示す説明図。
【図７】本発明に係る実施例２の製造過程を示す説明図。
【図８】本発明に係る実施例２の製造過程を示す説明図。
【図９】本発明に係る実施例３の製造過程を示す説明図。
【図１０】本発明に係る実施例３の製造過程を示す説明図。
【図１１】本発明に係る実施例４の製造過程を示す説明図。
【図１２】本発明に係る実施例４の製造過程を示す説明図。
【図１３】本発明に係る実施例５の製造過程を示す説明図。
【図１４】本発明に係る実施例５の製造過程を示す説明図。
【図１５】本発明に係る実施例６の製造過程を示す説明図。
【図１６】本発明に係る実施例６の製造過程を示す説明図。
【図１７】従来の製造過程での不具合を示す説明図。
【図１８】従来の製造過程での不具合を示す説明図。
【図１９】従来の製造過程での不具合を示す説明図。
【図２０】従来の製造過程での不具合示す説明図。
【図２１】従来の製造過程で実装部品との接続が良好な状態を示す説明図。
【図２２】従来の製造過程で実装部品との接続が不良な状態を示す説明図。
【符号の説明】
【００６４】
１  絶縁基板
２，２ａ，２ｂ  端子
３  カバーレイ
３ａ  開口部
４  印刷用メタルマスク
４ａ，４ｂ，４ｃ，４ｄ  開口部
５  ペースト状はんだ
６，６ａ，６ｂ  はんだプリコート層
１０  連結部
１１  除去部
１２  第１の連結部
１３  第２の連結部
１４  開口部
１５  切欠部
１６  凸部
２０  外層基板
２１  中空部
２２  接着部材
２３  内層基板
【図１】
2007281228.tif 000003
【図２】
2007281228.tif 000004
【図３】
2007281228.tif 000005
【図４】
2007281228.tif 000006
【図５】
2007281228.tif 000007
【図６】
2007281228.tif 000008
【図７】
2007281228.tif 000009
【図８】
2007281228.tif 000010
【図９】
2007281228.tif 000011
【図１０】
2007281228.tif 000012
【図１１】
2007281228.tif 000013
【図１２】
2007281228.tif 000014
【図１３】
2007281228.tif 000015
【図１４】
2007281228.tif 000016
【図１５】
2007281228.tif 000017
【図１６】
2007281228.tif 000018
【図１７】
2007281228.tif 000019
【図１８】
2007281228.tif 000020
【図１９】
2007281228.tif 000021
【図２０】
2007281228.tif 000022
【図２１】
2007281228.tif 000023
【図２２】
2007281228.tif 000024